(57)【要約】【課題】内蔵する表示装置でのファクシミリデータの表示及び撮像装置を用いたファクシミリデータの生成を行える携帯電話端末、並びに内蔵する表示装置でファクシミリデータの表示を行える画像表示装置を提供する。【解決手段】撮像によって画像データを生成するカメラ７０と、画像表示のためのディスプレイ５０と、ファクシミリ通信プロトコルを処理するＢＢ１０６とを有する携帯電話端末であって、カメラ７０によって生成されたファクシミリ送信原稿の全体画像の画像データを、基準画像として蓄積するメモリＲＡＭ１０３と、ファクシミリ送信原稿を２以上に分割した各部分の画像データを、カメラ７０を用いて取得し、全体画像の画像データに基づいて、各部分画像の画像データを重複箇所が無いように基準画像に割り付けて再構成して再構成画像を生成し、該再構成画像の画像データを送信ファクシミリデータとするＣＰＵ１０１とを有する。【選択図】図３
2009055132.tif 000002
【特許請求の範囲】
【請求項１】
撮像によって画像データを生成する撮像手段と、画像表示のためのディスプレイと、ファクシミリ通信プロトコルを処理するファクシミリ処理手段とを有する携帯電話端末であって、
前記撮像手段によって生成されたファクシミリ送信原稿の全体画像の画像データを、基準画像として蓄積する手段と、
前記ファクシミリ送信原稿を２以上に分割した各部分の画像データを、前記撮像手段を用いて取得する手段と、
前記全体画像の画像データに基づいて、各部分画像の画像データを重複箇所が無いように前記基準画像に割り付けて再構成して再構成画像を生成し、該再構成画像の画像データを送信ファクシミリデータとする手段とを有することを特徴とする携帯電話端末。
【請求項２】
前記部分画像の画像データを前記撮像手段を用いて取得する際に、全体画像のどの部分を撮影しているかを前記ディスプレイに表示させる手段を有することを特徴とする請求項１記載の携帯電話端末。
【請求項３】
前記ファクシミリ送信原稿の全体画像の寸法を、規格で定められた所定サイズに拡大・又は縮小可能であることを特徴とする請求項１又は２記載の携帯電話端末。
【請求項４】
前記送信ファクシミリデータの最低解像度を設定する手段と、
前記再構成画像の解像度が前記最低解像度に達しているか否かを判断する手段と、
前記再構成画像に前記最低解像度に達していない部分が含まれる場合に、その部分が画像全体で占める位置を前記ディスプレイに表示させる手段とを有することを特徴とする請求項３記載の携帯電話端末。
【請求項５】
前記再構成画像の解像度を画像全体で均一化する手段を有することを特徴とする請求項３又は４記載の携帯電話端末。
【請求項６】
前記撮像手段によって予め生成された任意の用紙の全体画像の画像データと前記撮像手段が将に捉えている前記任意の用紙の少なくとも一部分の画像データとを基に、前記撮像手段と前記任意の用紙との相対的な位置関係を算出する手段と、
受信ファクシミリデータの示す画像のどの部分をどの大きさで表示するかを、前記任意の用紙と前記撮像手段との相対的な位置関係に応じて決定する手段とを有することを特徴とする請求項１から５のいずれか１項記載の携帯電話端末。
【請求項７】
撮像によって画像データを生成する撮像手段と、画像表示のためのディスプレイと、ファクシミリ通信プロトコルを処理するファクシミリ処理手段とを有する携帯電話端末であって、
前記撮像手段によって予め生成された任意の用紙の全体画像の画像データと前記撮像手段が将に捉えている前記任意の用紙の少なくとも一部分の画像データとを基に、前記撮像手段と前記任意の用紙との相対的な位置関係を算出する手段と、
受信ファクシミリデータの示す画像のどの部分をどの大きさで表示するかを、前記任意の用紙と前記撮像手段との相対的な位置関係に応じて決定する手段とを有することを特徴とする携帯電話端末。
【請求項８】
前記相対的な位置関係は、前記撮像手段と前記任意の用紙との距離、及び、前記撮像手段の撮像の基準方向が前記任意の用紙の面内の所定方向に対してなす角度であることを特徴とする請求項６又は７記載の携帯電話端末。
【請求項９】
前記撮像手段によって生成された模様のある平面の画像データの一部を前記任意の用紙と見なす手段を有することを特徴とする請求項６から８のいずれか１項記載の携帯電話端末。
【請求項１０】
前記受信ファクシミリデータに複数のシートの画像データが含まれる場合には、ユーザインタフェースを介して指定されたシートの画像を前記ディスプレイに表示させることを特徴とする請求項６から９のいずれか１項記載の携帯電話端末。
【請求項１１】
撮像によって画像データを生成する撮像手段と、画像表示のためのディスプレイとを有する画像表示装置であって、
前記撮像手段によって予め生成された任意の用紙の全体画像の画像データと前記撮像手段が将に捉えている前記任意の用紙の少なくとも一部分の画像データとを基に、前記撮像手段と前記任意の用紙との相対的な位置関係を算出する手段と、
画像のどの部分をどの大きさで前記ディスプレイに表示するかを、前記任意の用紙と前記撮像手段との相対的な位置関係に応じて決定する手段とを有することを特徴とする画像表示装置。
【請求項１２】
前記相対的な位置関係は、前記撮像手段と前記任意の用紙との距離、及び、前記撮像手段の撮像の基準方向が前記任意の用紙の面内の所定方向に対してなす角度であることを特徴とする請求項１１記載の画像表示装置。
【発明の詳細な説明】
【技術分野】
【０００１】
本発明は、内蔵カメラによる静止画取得と静止画像表示とのそれぞれの機能で高精細にファクシミリ画像対応とするとともに操作を容易にした携帯電話端末及び内蔵する表示装置でファクシミリデータの表示を行える画像表示装置に関する。
【背景技術】
【０００２】
携帯電話端末が普及したことに加え、固定電話回線による通話との融合が図られていることにより、携帯電話端末が従来のファクシミリ通信装置の機能をも提供できるようにすることがますます求められている。
【０００３】
また、固定電話端末としては、ファクシミリ機能を融合したファクシミリ電話端末が現在までに広く普及している。
【０００４】
ファクシミリと電話とを融合したファクシミリ電話の機能を携帯電話端末で実現するには、ファクシミリの送受信プロトコルを携帯電話端末に実装することと、ファクシミリの静止画像の取得と表示とが必要である。
【０００５】
ファクシミリデータの送受信プロトコルを携帯電話端末に実装することは、現状でも特に問題がない。しかし、携帯電話端末においてファクシミリ静止画像を取得したり表示したりするには、携帯電話端末の入出力デバイス上の制限がある。その結果、ファクシミリ電話の機能を携帯電話端末で実現することは困難と考えられてきた。
【０００６】
例えば、ファクシミリ機能を備えた携帯電話端末に関連する技術としては、特許文献１に開示される「ファクシミリ機能付携帯電話機」や、特許文献２に開示される「撮像手段付き携帯電話装置」がある。
【０００７】
特許文献１や特許文献２に開示される発明は、ファクシミリ画像を読み取るための専用のデバイス（スキャナ）を携帯電話端末に搭載する必要があり、小型化・軽量化が要求されている市場のニーズにそぐわない。
【０００８】
専用のデバイスを新たに実装することなく携帯電話端末においてファクシミリ機能を代替する方法としては、携帯電話端末に搭載されたカメラで印刷された文章などの静止画を取得し、これをメールの添付ファイルとして別の携帯電話端末へ送ったり、他の携帯電話端末から受け取ることが考えられる。
【特許文献１】特開２００１−２０３８３７号公報
【特許文献２】特開２００２−１７６６７４号公報
【発明の開示】
【発明が解決しようとする課題】
【０００９】
しかし、この方法では、従来のファクシミリによる静止画像相当の画像を取得するには携帯電話端末に内蔵のカメラでは解像度が不十分である。たとえ高解像度のカメラを搭載したとしても、対象画像がカラーの場合はやはり十分な解像度が得られない上に、高解像度のカメラを搭載することは端末価格の高騰の原因となってしまう。
また、携帯電話端末の表示装置は、ファクシミリ画像を表示するには不十分な面積と表示解像度であった。
【００１０】
前者の課題の一般的な解決方法として、カメラの接写モードで部分的に高精細データを得て、各部分を再構成して全体画像を得ることが考えられる。しかし、画像の再構築の手がかりが無い場合には、どの範囲を再構築するのかが不明であり、画像処理に無駄があった。また、使用する者にとっては、どの部分がどれくらいの解像度で再構築されるのかが分からなかった。
【００１１】
また、後者の課題に関して、上記のように携帯電話端末のディスプレイは、ファクシミリ画像の表示には不十分な面積と表示解像度である。
例えば、Ａ４サイズの場合、２００ｄｐｉならば２１０ｍｍの短辺は１６５３ドット、２９７ｍｍの長辺は２３３８ドットとなる。携帯電話端末としては表示ドット数の多いＷＶＧＡのディスプレイの場合、解像度は８００×４８０ドットであるため、ドット数だけで言えば短辺の約１／２までの画像を表示できる。すなわち、１画面中にはＡ４サイズ、２００ｄｐｉの画像を短辺方向に約半分まで表示可能である。
【００１２】
しかし実際には、携帯電話端末のディスプレイはＡ４サイズの用紙と比べてはるかに小さいため、短辺方向の約半分を表示できたとしても、表示された画像は読み取りにくいものとなってしまう。
【００１３】
このように、携帯電話端末にファクシミリ機能を搭載しようとすると、送信画像の取得及び受信画像の表示の双方について、ユーザの利便性が低くなってしまうという問題があった。
【００１４】
本発明はかかる問題に鑑みてなされたものであり、内蔵する表示装置でのファクシミリデータの表示及び撮像装置を用いたファクシミリデータの生成を行える携帯電話端末、並びに内蔵する表示装置でファクシミリデータの表示を行える画像表示装置を提供することを目的とする。
【課題を解決するための手段】
【００１５】
上記目的を達成するため、本発明は、第１の態様として、撮像によって画像データを生成する撮像手段と、画像表示のためのディスプレイと、ファクシミリ通信プロトコルを処理するファクシミリ処理手段とを有する携帯電話端末であって、撮像手段によって生成されたファクシミリ送信原稿の全体画像の画像データを、基準画像として蓄積する手段と、ファクシミリ送信原稿を２以上に分割した各部分の画像データを、撮像手段を用いて取得する手段と、全体画像の画像データに基づいて、各部分画像の画像データを重複箇所が無いように基準画像に割り付けて再構成して再構成画像を生成し、該再構成画像の画像データを送信ファクシミリデータとする手段とを有することを特徴とする携帯電話端末を提供するものである。
【００１６】
本発明の第１の態様においては、部分画像の画像データを撮像手段を用いて取得する際に、全体画像のどの部分を撮影しているかをディスプレイに表示させる手段を有することが好ましい。
【００１７】
本発明の第１の態様の上記のいずれの構成においても、ファクシミリ送信原稿の全体画像の寸法を、規格で定められた所定サイズに拡大・又は縮小可能であることが好ましく、これに加えて、送信ファクシミリデータの最低解像度を設定する手段と、再構成画像の解像度が最低解像度に達しているか否かを判断する手段と、再構成画像に最低解像度に達していない部分が含まれる場合に、その部分が画像全体で占める位置をディスプレイに表示させる手段とを有することがより好ましい。また、再構成画像の解像度を画像全体で均一化する手段を有することがより好ましい。
【００１８】
本発明の第１の態様の上記のいずれの構成においても、撮像手段によって予め生成された任意の用紙の全体画像の画像データと撮像手段が将に捉えている任意の用紙の少なくとも一部分の画像データとを基に、撮像手段と任意の用紙との相対的な位置関係を算出する手段と、受信ファクシミリデータの示す画像のどの部分をどの大きさで表示するかを、任意の用紙と撮像手段との相対的な位置関係に応じて決定する手段とを有することが好ましい。これに加えて、相対的な位置関係は、撮像手段と任意の用紙との距離、及び、撮像手段の撮像の基準方向が任意の用紙の面内の所定方向に対してなす角度であることがより好ましい。また、撮像手段によって生成された模様のある平面の画像データの一部を任意の用紙と見なす手段を有することがより好ましい。また、受信ファクシミリデータに複数のシートの画像データが含まれる場合には、ユーザインタフェースを介して指定されたシートをディスプレイに表示させることがより好ましい。
【００１９】
また、上記目的を達成するため、本発明は、第２の態様として、撮像によって画像データを生成する撮像手段と、画像表示のためのディスプレイと、ファクシミリ通信プロトコルを処理するファクシミリ処理手段とを有する携帯端末であって、撮像手段によって予め生成された任意の用紙の全体画像の画像データと撮像手段が将に捉えている任意の用紙の少なくとも一部分の画像データとを基に、撮像手段と任意の用紙との相対的な位置関係を算出する手段と、受信ファクシミリデータの示す画像のどの部分をどの大きさで表示するかを、任意の用紙と撮像手段との相対的な位置関係に応じて決定する手段とを有することを特徴とする携帯電話端末を提供するものである。
【００２０】
本発明の第２の態様においては、相対的な位置関係は、撮像手段と任意の用紙との距離、及び、撮像手段の撮像の基準方向が任意の用紙の面内の所定方向に対してなす角度であることが好ましい。また、撮像手段によって生成された模様のある平面の画像データの一部を任意の用紙と見なす手段を有することが好ましい。また、受信ファクシミリデータに複数の画像の画像データが含まれる場合には、ユーザインタフェースを介して指定された画像をディスプレイに表示させることがより好ましい。
【００２１】
また、上記目的を達成するため、本発明は、第３の態様として、撮像によって画像データを生成する撮像手段と、画像表示のためのディスプレイとを有する画像表示装置であって、撮像手段によって予め生成された任意の用紙の全体画像の画像データと撮像手段が将に捉えている任意の用紙の少なくとも一部分の画像データとを基に、撮像手段と任意の用紙との相対的な位置関係を算出する手段と、画像のどの部分をどの大きさでディスプレイに表示するかを、任意の用紙と撮像手段との相対的な位置関係に応じて決定する手段とを有することを特徴とする画像表示装置を提供するものである。
本発明の第３の態様においては、相対的な位置関係は、撮像手段と任意の用紙との距離、及び、撮像手段の撮像の基準方向が任意の用紙の面内の所定方向に対してなす角度であることが好ましい。
【発明の効果】
【００２２】
本発明によれば、内蔵する表示装置でのファクシミリデータの表示及び撮像装置を用いたファクシミリデータの生成を行える携帯電話端末、並びに内蔵する表示装置でファクシミリデータの表示を行える画像表示装置を提供できる。
【発明を実施するための最良の形態】
【００２３】
本発明の好適な実施の形態について説明する。
図１及び図２に、本実施形態にかかる携帯電話端末の外観を示す。携帯電話本体１は、レシーバ穴１３、マイク穴１４、キー３０、数字キー４０、ディスプレイ５０、アンテナ６０、カメラ７０を有する。カメラ７０は、ディスプレイ５０の中央の裏側に配置されている。
【００２４】
図３に、携帯電話端末の機能構成を示す。
携帯電話端末は、ＣＰＵ１０１、メモリＲＯＭ１０２、メモリＲＡＭ１０３、ディスプレイ制御部１０４、スピーカ１０５、ＢＢ（ベースバンド処理部）１０６、バッテリー制御部１０７、マイク１０８、レシーバ１０９、変調部１１０、復調部１１１、ディスプレイ５０、カメラ７０、アンテナ６０、バッテリー２００を有する。
ＣＰＵ１０１は、携帯電話端末の全体の動作を制御する。メモリＲＯＭ１０２は、携帯電話端末としての機能を実現するための様々なアプリケーションプログラムが記録されている。メモリＲＡＭ１０３は、ＣＰＵ１０１がメモリＲＯＭ１０２に記録されているプログラムを実行する際にワークスペースとして用いられる。ディスプレイ制御部１０４は、ディスプレイ５０に情報を表示させるための処理を行う。スピーカ１０５は、着信音やアラーム、音楽などの音声を出力する。ＢＢ１０６は、発信する音声信号の圧縮や受信した音声信号の伸長などを行う。バッテリー制御部１０７は、装着されたバッテリー２００に対する充電制御などを行う。マイク１０８は、音声通話の際にユーザの音声を電気信号に変換する。レシーバ１０９は、音声通話の際に通話相手から送られてきた音声信号を音声に変換する。変調部１１０は、ＢＢ１０６によって圧縮された音声信号を変調し、アンテナ６０へ出力する。復調部１１１はアンテナ６０によって受信された信号を復調する。
【００２５】
図４に示すように、ファクシミリ機能としては、受信画像表示モードと送信画像取得モードとの二つのモードがある。ＣＰＵ１０１は、ファクシミリ機能が起動されるとディスプレイ制御部１０４を制御して、どちらのモードを実行するのかを問い合わせるメッセージをディスプレイ５０に表示させ、ユーザの選択を促す。
【００２６】
まず、受信画像表示モードにおける携帯電話端末の動作の概略について説明する。
受信画像表示モードにおいては、受信済みのファクシミリデータをディスプレイ５０に表示させるのに先だって、ＣＰＵ１０１は、別の印刷済み用紙全体をカメラ７０で撮影するようにディスプレイ制御部１０４やスピーカ１０５を用いてユーザに要求する。図５に示すように、ＣＰＵ１０１は、撮影された別の印刷済み用紙全体の画像を仮想の受信用紙として、受信済みのファクシミリデータを割り付ける。そして、ユーザが携帯電話端末を移動させた場合、ＣＰＵ１０１はカメラ７０が今捉えている画像に対応した紙の位置と距離とに従った箇所及び大きさで、受信したファクシミリデータをディスプレイ５０に表示させるようにディスプレイ制御部１０４を制御する。例えば、初期状態（別の印刷済み用紙全体を仮想の受信用紙として取り込んだ直後）ではカメラ７０が別の印刷済み用紙全体を捉えているので（カメラ７０の画角内に別の印刷済み用紙全体が入っているので）、図６に示すように、ＣＰＵ１０１は受信済みのファクシミリデータをディスプレイ５０に収まるように大きさを変換して表示させるようにディスプレイ制御部１０４を制御している。ユーザが携帯電話端末を別の印刷済み用紙に近づけ、カメラ７０が別の印刷済み用紙の一部のみを捉えている状態になったならば、図７に示すように、ＣＰＵ１０１は受信済みのファクシミリデータの対応する箇所（別の印刷済み用紙のうちカメラ７０が捉えている部分に対応する箇所）のみをディスプレイ５０に表示させるようにディスプレイ制御部１０４を制御する。また、図８に示すように、仮想の受信用紙の面内で携帯電話端末の向きを変えた場合には、ＣＰＵ１０４はその時点での携帯電話端末の向きに応じて受信データの対応する部分をディスプレイ５０に表示させるようにディスプレイ制御部１０４を制御する。なお、模様のある平面をカメラ７０で撮影し、撮影した画像の一部を切り出して、仮想的に別の印刷済み用紙の画像と見なすことで、印刷済みの用紙を別途用意する必要が無くなる。また、仮想の受信用紙とする紙は印刷済み用紙に限定されることはなく、撮像範囲の位置を特定できる程度の模様や図柄、文字等が表示されている用紙であれば適用可能である。
【００２７】
ＣＰＵ１０１がこのような処理を行うことにより、携帯電話端末を用紙から遠ざけることによって受信済みのファクシミリデータの画像全体をディスプレイ５０に表示させ、用紙に近づけることによって画像の特定の部分のみをディスプレイ５０に表示させることができる。ユーザにとっては、受信したファクシミリ画像がカメラ７０で写されているような感覚であり、あたかも天眼鏡（拡大鏡）を通して見ているように違和感なくファクシミリ受信画像を閲覧できる。図９に、受信画像表示モードでの仮想原稿８０とカメラの撮影範囲９０との関係の一例を示す。
【００２８】
次に、送信画像取得モードにおける携帯電話端末の動作の概略について説明する。
送信画像取得モードにおいては、図１０に示すように、送信用原稿全体の画像を先に撮影する。次に、図１１に示すように接写及びスキャンによって送信画像全体の画像よりも詳細な画像を得て、ＣＰＵ１０１が原稿全体の画像と詳細画像とを対応付ける。このような処理を行うことにより、送信原稿全体の画像を高解像で得ることができる。図１０、図１１に示す例では、原稿全体を四つの部分に分けて詳細画像を撮影しているので、原稿全体を一度に撮影する場合と比較して約４倍の解像度の高解像度の画像が得られる。この操作の際には、カメラ７０が撮影している画像をＣＰＵ１０１がディスプレイ制御部１０４を用いてディスプレイ５０に連動して表示させることにより、画像を確認しながらファクシミリ用の画像を取り込むことが可能となる。また、解像度を指定したり、所定の解像度以上となるように補償することで、対向するファクシミリに安定した画質の画像を送信できる。
【００２９】
受信画像表示モードにおける携帯電話端末内部での処理の流れについて説明する。
図１２に、受信画像表示モードの使用例を示す。この例は、ファクシミリの受信データは、別途、固定電話回線や無線ＬＡＮ、有線ＬＡＮによって先に得られており、メモリＲＡＭ１０３にファイルとして保存されている場合である。
ファクシミリ受信画像の表示を望むユーザは、キー３０を用いて表示を希望するファイルを選択する。ファイルに複数の画像が含まれる場合（複数頁からなる文書が一つのファイルとされている場合など）は、ユーザはさらにキー３０を用いて画像を選択する（ステップＳ１）。
【００３０】
ファイル・画像がユーザによって選択されると、ＣＰＵ１０１はディスプレイ制御部１０４を制御し、任意の印刷物の撮影を要求するメッセージをディスプレイ５０に表示させる。ユーザがこの要求に応じて印刷物全体（ここではＡ４サイズとする）をカメラ７０で撮影すると、ＣＰＵ１０１は、撮影された印刷物を仮想の受信用紙とし、メモリＲＡＭ１０３上で受信画像と仮想の受信用紙とを割り付ける（ステップＳ２）。
【００３１】
ユーザが携帯電話端末を紙に近づけた場合、ＣＰＵ１０１はカメラ７０で取得している画像と先に得た全体画像とを比較し、割り付けた範囲の受信画像をディスプレイ５０に表示させる（ステップＳ３）。この際には、携帯電話端末で印刷物をスキャンすると、移動後の位置の画像がカメラ７０から入力されるため、ＣＰＵ１０１はディスプレイ制御部１０４を制御し、移動後の位置に割り付けられているファクシミリ受信画像をディスプレイ５０に表示させる。
【００３２】
画像の閲覧を終了する操作がキー３０を介してユーザによってなされると、ＣＰＵ１０１は受信画像表示モードを終了し、カメラ７０への電力供給を停止する。
【００３３】
図１３に、送信画像取得モードの使用例を示す。
送信画像の取得の前段階として、送信用紙を机上等に配列させておく（ステップＳ１１）。
送信画像取得モードが実行されると、ＣＰＵ１０１は、ディスプレイ５０やスピーカ１０５を用いて、送信用紙の枚数の入力をユーザに促す（ステップＳ１２）。キー３０を介してユーザに入力された枚数が２以上の場合は、ＣＰＵ１０１は取得ページの選択をさらに要求する（ステップＳ１３）。
取得するページが決定されると、ＣＰＵ１０１はディスプレイ制御部１０４を制御し、画像として取り込む原稿全体の撮影を要求するメッセージをディスプレイ５０に表示させる。ユーザがこの要求に応じて原稿全体を全周囲の端が写るようにカメラ７０で撮影すると、ＣＰＵ１０１はディスプレイ制御部１０４を制御し、撮影された画像のおよその解像度をディスプレイ５０に表示させる（ステップＳ１４）。
【００３４】
ディスプレイ５０に表示された解像度を見たユーザが、この解像度では粗すぎると判断した場合は、任意の距離だけ（例えば１０ｃｍ）原稿から離して携帯電話端末で原稿をスキャンする（ステップＳ１５）。送信画像取得モードにおけるスキャン時の原稿と撮像範囲との関係は、図９に示した受信画像表示モードの場合と同様である。ＣＰＵ１０１は、スキャンによって得られた部分画像を全体画像と対応させてメモリＲＡＭ１０３に蓄積する（ステップＳ１６）。用紙一枚分のスキャンが完了したらスキャンが完了したことをユーザに通知する（ステップＳ１７）。
拡大スキャンを行った場合には、ＣＰＵ１０１は平均解像度をディスプレイ５０に表示させてユーザに通知してもよい。また、所望の解像度を下回る部分画像が含まれる場合（２００ｄｐｉの全体画像を得ようとしている際に１５０ｄｐｉの部分画像が含まれる場合）には、解像度の不足をユーザに通知するとともに、その部分画像の再取得を要求するようにしても良い。なお、解像度の異なる（ただし、所望の解像度は上回る）部分画像が存在する場合には、ＣＰＵ１０１は部分画像の解像度を原稿全体で均一化するようにしても良い。
【００３５】
スキャンした画像の微細部分を確認したい場合は、上記の受信画像取得モードと同様の手順でディスプレイ５０に送信用紙の撮影画像を表示させる。
【００３６】
満足のいく解像度で撮影できた場合、同様の手順にて全ての頁を撮影し、ファクシミリ送信画像を得る。全ての頁の撮影が終了したら、カメラをＯｆｆして送信画像取得モードを終了する。
【００３７】
本実施形態にかかる携帯電話端末によれば、対向するファクシミリとの間でファクシミリ画像を送受信することが可能となる。ファクシミリにはいくつもの解像度モードがあるが、本実施形態にかかる携帯電話端末はカメラの解像度に大きく制限されることなく、いくつかの解像度に適応でき、必要な場合はより精細に、また不要な場合は粗い画像でファクシミリ画像を生成できる。また、高精細画像を受信した場合でも、その部分を選び実際の解像度よりも拡大して見ることが容易である。
ファクシミリは公用文書の送受信に用いられている場合があり、他の通信手段が普及しても欠かすことのできない通信手段であるが、本実施形態にかかる携帯電話端末を用いればファクシミリ専用装置なしにファクシミリを用いた様々なサービスを利用することが可能となる。
【００３８】
なお、上記実施形態は本発明の好適な実施の一例であり、本発明はこれに限定されることはない。
例えば、上記実施形態においては、天眼鏡のような操作感を与えるためにカメラ７０がディスプレイ５０の中央の裏側に配置されている構成を例としたが、カメラ７０が明確に分かるように携帯電話本体１の端部に配置しても良い。
また、携帯電話網を介したファクシミリデータの送受信以外にも、固定電話回線、無線ＬＡＮ、有線ＬＡＮなどに直接接続して、ファクシミリデータの送受信を行えるようにしても良い。これは、固定電話回線や有線ＬＡＮ回線に接続するためのコネクタを携帯電話端末に設けたり、無線ＬＡＮ接続機能を組み込んだりすることにより実現可能である。
このように、本発明は様々な変形が可能である。
【図面の簡単な説明】
【００３９】
【図１】本発明の好適な実施形態にかかる携帯電話端末の正面外観図である。
【図２】本発明の好適な実施形態にかかる携帯電話端末の背面外観図である。
【図３】本発明の好適な実施形態にかかる携帯電話端末機能構成を示す図である。
【図４】ファクシミリ機能のモードを示す図である。
【図５】受信データを仮想の受信用紙に割り付けた状態を示す図である。
【図６】仮想の受信用紙全体が撮像範囲内にある状態の時にディスプレイに表示される画像を示す図である。
【図７】仮想の受信用紙の一部分が撮像範囲内にある状態の時にディスプレイに表示される画像を示す図である。
【図８】仮想の受信用紙の一部分が撮像範囲内にある状態の時にディスプレイに表示される画像を示す図である。
【図９】携帯電話端末に搭載されたカメラによって原稿又は仮想用紙を撮影している状態を示す図である。
【図１０】送信原稿全体を撮像する状態を示す図である。
【図１１】部分画像を合成して高解像度の全体画像を生成する処理を示す図である。
【図１２】受信画像表示モードの一例を示す図である。
【図１３】送信画像取得モードの一例を示す図である。
【符号の説明】
【００４０】
１    携帯電話本体
１３    レシーバ穴
１４    マイク穴
３０    キー
４０    数字キー
５０    ディスプレイ
６０    アンテナ
７０    カメラ
８０    原稿又は仮想用紙
９０    撮像範囲
１０１    ＣＰＵ
１０２    メモリＲＯＭ
１０３    メモリＲＡＭ
１０４    ディスプレイ制御部
１０５    スピーカ
１０６    ＢＢ（ベースバンド処理部）
１０７    バッテリー制御部
１０８    マイク
１０９    レシーバ
１１０    変調部
１１１    復調部
【図１】
2009055132.tif 000003
【図２】
2009055132.tif 000004
【図３】
2009055132.tif 000005
【図４】
2009055132.tif 000006
【図５】
2009055132.tif 000007
【図６】
2009055132.tif 000008
【図７】
2009055132.tif 000009
【図８】
2009055132.tif 000010
【図９】
2009055132.tif 000011
【図１０】
2009055132.tif 000012
【図１１】
2009055132.tif 000013
【図１２】
2009055132.tif 000014
【図１３】
2009055132.tif 000015